(57)【要約】【課題】異なる地形・地物を異なる露光時間で写真撮影するために用いる多機能カメラ用ブラック／グレーカードを提供することにある。【解決手段】多機能カメラ用ブラック／グレーカードは、第１のブラックカード１０及び第２のブラックカード２０を備える。第１のブラックカード１０は、少なくとも１つの磁性体１２を内部に有するとともに、スリット１１が中央部に形成される。第２のブラックカード２０は、少なくとも１つの金属部材２１を内部に有する。金属部材２１は、第１のブラックカード１０の磁性体に吸着され、第１のブラックカード１０と第２のブラックカード２０とが一体化される。第１のブラックカード１０全体は磁性体である。第２のブラックカード２０全体は金属部材である。第１のブラックカード１０の背面には、グレーカードが配設される。【選択図】図１
0003208634.tif 000002
【実用新案登録請求の範囲】
【請求項１】
第１のブラックカード及び第２のブラックカードを備えた多機能カメラ用ブラック／グレーカードであって、
前記第１のブラックカードは、少なくとも１つの磁性体を内部に有するとともに、スリットが中央部に形成され、
前記第２のブラックカードは、少なくとも１つの金属部材を内部に有し、
前記金属部材は、前記第１のブラックカードの前記磁性体に吸着され、前記第１のブラックカードと前記第２のブラックカードとが一体化されることを特徴とする多機能カメラ用ブラック／グレーカード。
【請求項２】
前記第１のブラックカード全体は磁性体であることを特徴とする請求項１に記載の多機能カメラ用ブラック／グレーカード。
【請求項３】
前記第２のブラックカード全体は金属部材であることを特徴とする請求項１に記載の多機能カメラ用ブラック／グレーカード。
【請求項４】
前記第１のブラックカードの背面には、グレーカードが配設されることを特徴とする請求項１に記載の多機能カメラ用ブラック／グレーカード。
【考案の詳細な説明】
【技術分野】
【０００１】
本考案は、多機能カメラ用ブラック／グレーカードに関するものであり、さらに詳しくは、大面積で互いに磁気吸着される第１のブラックカード及び第２のブラックカードを有するとともに、異なる地形・地物を異なる露光時間で写真撮影するために用いることが可能な多機能カメラ用ブラック／グレーカードに関するものである。
【背景技術】
【０００２】
従来のブラックカードのほとんどは矩形体であり、矩形体の中央部に形成された１本のスリットにより、撮影画面上の高低光の異なる領域に対して行う明暗のコントラスト及び露光時間を制御していたが、従来の単純なブラックカードでは、渓谷や超高層建築物の屋上など地形・地物に沈む夕日を正確に撮影することは困難であった。従来市販されているブラックカード又はグレーカードは、単一色のカードであり、撮影者が外出して景色を撮影する際、異なる反射率及び色のカードを携行しなければならないため、撮影者のカバンの占有空間及び重量が増大する上、カードを取り出して撮影する際、探し出す手間もあったため不便であり、改善が求められていた。
【考案の概要】
【考案が解決しようとする課題】
【０００３】
本考案の主な課題は、２種類のそれぞれ異なる形状を有するブラックカードにより構成された撮影専用のカードであり、各領域に対する露光時間を調整することにより、ブラックカードの使用が容易であり、プロ並みの写真撮影を行うことができる多機能カメラ用ブラック／グレーカードを提供することにある。
【０００４】
本考案のもう一つの課題は、写真の明るい部分及び暗い部分を均一に露光し、カードの背面がグレーカードであり、自然光及び人工光の色温度であっても写真の色が光源の色により影響を受けることを防ぎ、カードの使用機能を高める多機能カメラ用ブラック／グレーカードを提供することにある。
【課題を解決するための手段】
【０００５】
そこで本考案者は、前記の本考案の課題を解決するために鋭意検討を重ねた結果、前記の主な課題に対しては、２種類のそれぞれ異なる形状を有するブラックカードにより構成された撮影専用のカードであり、第１のブラックカード内に磁性体が設けられ、第１のブラックカード上には第１のブラックカードが自在に吸着される上、第１のブラックカードの中央部に形成されたスリットの形状を変えることにより、各領域に対する露光時間を調整し、経験豊富な者であればブラックカードの使用が容易であり、プロ並みの写真撮影を行うことができる多機能カメラ用ブラック／グレーカードを提供することにより、前記課題を解決することができる。
【０００６】
また、もう一つの課題に対しては、正面が黒色であるブラックカードにより、写真の明るい部分及び暗い部分を均一に露光し、カードの背面がグレーカードであり、異なる反射率及び色を有するカードにより測光して標準値を得て、自然光及び人工光の色温度であっても写真の色が光源の色により影響を受けることを防ぎ、カードの使用機能を高める多機能カメラ用ブラック／グレーカードを提供することにより、前記課題を解決することができる。
かくして、本考案の要旨は次の通りである。
【０００７】
（１）第１のブラックカード及び第２のブラックカードを備えた多機能カメラ用ブラック／グレーカードであって、
前記第１のブラックカードは、少なくとも１つの磁性体を内部に有するとともに、スリットが中央部に形成され、
前記第２のブラックカードは、少なくとも１つの金属部材を内部に有し、
前記金属部材は、前記第１のブラックカードの前記磁性体に吸着され、前記第１のブラックカードと前記第２のブラックカードとが一体化されることを特徴とする多機能カメラ用ブラック／グレーカード。
（２）前記第１のブラックカード全体は磁性体であることを特徴とする前記（１）に記載の多機能カメラ用ブラック／グレーカード。
（３）前記第２のブラックカード全体は金属部材であることを特徴とする前記（１）に記載の多機能カメラ用ブラック／グレーカード。
（４）前記第１のブラックカードの背面には、グレーカードが配設されることを特徴とする前記（１）に記載の多機能カメラ用ブラック／グレーカード。
【考案の効果】
【０００８】
本考案は、前記の通りの構成からなり、各種地形・建物を写真撮影し、同一写真に異なる露光時間を含めることができる。従って、ブラックカードは、グレーカード機能も備えた２ｉｎ１カードに成形され製造コストを低減させることができる。
【図面の簡単な説明】
【０００９】
【図１】図１は、本考案の一実施形態に係る多機能カメラ用ブラック／グレーカードを示す分解斜視図である。
【図２】図２は、本考案の一実施形態に係る多機能カメラ用ブラック／グレーカードのブラックカードをレンズ前に設置したときの状態を示す斜視図である。
【図３】図３は、本考案の他の実施形態に係る多機能カメラ用ブラック／グレーカードのブラックカードをレンズ前に設置したときの状態を示す斜視図である。
【図４】図４は、本考案の一実施形態に係る多機能カメラ用ブラック／グレーカードを示す平面図である。
【図５】図５は、本考案の他の実施形態に係る多機能カメラ用ブラック／グレーカードを示す平面図である。
【図６】図６は、本考案の一実施形態に係る多機能カメラ用ブラック／グレーカードの単一のブラックカードの背面を示す斜視図である。
【考案を実施するための形態】
【００１０】
図１を参照する。図１に示すように、本考案の一実施形態に係る多機能カメラ用ブラック／グレーカードは、互いの形状が異なる第１のブラックカード１０と第２のブラックカード２０との組み合わせにより構成されてなる。図２及び図３を参照する。図２及び図３に示すように、第１のブラックカード１０及び第２のブラックカード２０は、黒色で光を反射させない１枚の厚紙、プラスチックカードその他材料からなるカードであるとともに、カメラ３０前に単独で配設される。上述した第１のブラックカード１０及び第２のブラックカード２０の表面は、１層のパイル布により完全に覆われているため、光が反射してしまう問題は発生しない。第１のブラックカード１０内には、多数の磁性体１２が密集して配置される。第２のブラックカード２０内には、金属部材２１が配設される。第１のブラックカード１０及び第２のブラックカード２０は、磁性体１２により金属部材２１に吸着される。第１のブラックカード１０の中央部には、矩形状のスリット１１が配設される。スリット１１は、光が強い個所と弱い個所とに対して移動速度を調整することにより、明暗のコントラスト及び露光時間を制御することができる。
【００１１】
図４及び図５を参照する。図４及び図５に示すように、第１のブラックカード１０及び第２のブラックカード２０は、磁性体１２により金属部材２１に吸着されて様々な態様に組み合わされ、第１のブラックカード１０のスリット１１のサイズ及び形状を変えると、異なる露光時間で写真撮影することができる。本考案では好適な実施形態を前述の通り開示したが、これらは決して本考案を限定するものではない。例えば、第１のブラックカード１０全体を磁性体に成形したり、第２のブラックカード２０全体を金属部材に成形したり、第１のブラックカード１０上に金属部材を配設したり、第２のブラックカード２０上に磁性体を配設したりしてもよく、これらも本考案の実用新案登録請求の範囲に含まれる。
【００１２】
図６を参照する。図６に示すように、第１のブラックカード１０の背面には、グレーカード１３が接着される。第１のブラックカード１０は正面が約２％の反射率を有し、写真の明るい部分及び暗い部分を均一に露光することができる。第１のブラックカード１０の背面のグレーカード１３は１８％の反射率を有し、測光して標準値を得ることができる。
【００１３】
上述したことから分かるように、本考案の多機能カメラ用ブラック／グレーカードは、カメラ専用のブラックカード上に、異なる形状のブラックカードを磁気吸着させて一体化し、ブラックカードのうちの一つのスリットのサイズ及び形状を調整することにより、各種地形・地物を写真撮影し、同一写真に異なる露光時間を含めることができる。そのため本考案のブラックカードは、グレーカード機能も備えた２ｉｎ１カードに成形され、製造コストを下げ、携行に便利で多機能である。
【符号の説明】
【００１４】
１０  第１のブラックカード
１１  スリット
１２  磁性体
１３  グレーカード
２０  第２のブラックカード
２１  金属部材
３０  カメラ
【図１】
0003208634.tif 000003
【図２】
0003208634.tif 000004
【図３】
0003208634.tif 000005
【図４】
0003208634.tif 000006
【図５】
0003208634.tif 000007
【図６】
0003208634.tif 000008